(57)【要約】【課題】１種類のサブロックを全金属製サッシと複合サッシに共通使用可能にし、スイッチの伸長化を不要にしてロッド移動時のスイッチへのモーメント負荷増大を防止して、サブロック又は室内側樹脂製形材の破損を生じないサッシを提供する。【解決手段】全金属製サッシの場合は、サブロックを開き戸の金属製縦框の室内側面に直接取り付け、複合サッシの場合は、サブロックを開き戸の室外側金属製縦框の室内側面に直接取り付けるとともに、開き戸の室内側樹脂製縦框に設けた孔から前記サブロックを室内側に臨ませ、さらに、そのサブロックの周辺を囲み、かつ、そのサブロックを室内側に臨ませるサブロックカバーを取り付ける。【選択図】図６
2008038496.tif 000002
【特許請求の範囲】
【請求項１】
ドアハンドルにより施解錠される開き戸を有し、前記ドアハンドルの操作により一方の移動時に施錠しその逆方向への移動時に解錠するロッドを有する錠装置を備えるとともに、前記ドアハンドルを解錠方向に操作しても前記ロッドの解錠方向の移動を阻止するサブロックを備えたサッシにおいて、
（ａ）前記サッシの開き戸の框が金属製である場合は、前記サブロックを前記開き戸の金属製縦框の室内側面に直接取り付け、
（ｂ）前記サッシの開き戸の框が室外側金属製框と室内側樹脂製框とから構成されている場合は、前記サブロックを前記開き戸の室外側金属製縦框の室内側面に直接取り付けるとともに、前記開き戸の室内側樹脂製縦框に設けた孔から前記サブロックを室内側に臨ませ、かつ、前記室内側樹脂製縦框の孔の内周面を被覆し、前記サブロックを室内側に臨ませるサブロックカバーを取り付け、
（ｃ）前記サブロックはいずれも同一物であることを特徴とするサッシ。
【請求項２】
サッシの開き戸の框が室外側金属製框と室内側樹脂製框とから構成されている場合は、前記室外側金属製框に座板を固着し、前記座板に設けてある孔にサブロックを嵌合し、そのサブロックに設けてある爪を前記座板の孔辺裏面に係止して固定することを特徴とする請求項１に記載のサッシ。
【請求項３】
室内側樹脂製框のサブロックに対応する位置に設けた孔にサブロックカバーを嵌合してそのサブロックカバーの周辺に設けてある爪を前記室内側樹脂製框の孔辺裏面に係止して固定することを特徴とする請求項２に記載のサッシ。
【発明の詳細な説明】
【技術分野】
【０００１】
本発明は、サブロックを備えたサッシに関する。
【背景技術】
【０００２】
把持されたドアハンドルにより縦軸を中心に回転されて開閉される開き戸には、前記ドアハンドルの回転と連動して一方の移動時に施錠しその逆方向への移動時に解錠する縦長のロッドを有するグレモン錠装置が備えられるとともに、前記ドアハンドルが例えば屋外から不正に解錠方向に回転されたときに前記ロッドの解錠方向の移動を阻止するためのサブロックが備えられる例は、少なくない。
【０００３】
一般的に、グレモン錠装置に付加されるサブロックは、ケースと、そのケースに指先押圧操作により施錠位置と解錠位置の２位置のいずれかに移動され、バネなどにより移動後の位置に保持されるタンブラースイッチ（以下、単にスイッチという。）とを有して、サッシに建て付けられる開き戸が片開き戸の場合はその縦框に、両開き戸の場合は後に閉められる開き戸の召合わせ框に取り付けられ、スイッチが施錠操作されると、そのスイッチの端部に設けてあるストッパ部がグレモン錠装置のロッドに設けてある係止部に接近し、そのロッドがドアハンドルの操作により解錠位置方向に移動するのを阻止するように構成されている。
【０００４】
ところで、従来のサブロックは、開き戸が金属製形材のみからなる全金属製サッシである場合も、開き戸が屋外側金属製形材と室内側樹脂製形材とからなる複合サッシである場合も、サブロックはこれを操作する人の指先がスイッチに届く位置に取付ける必要があると同時に、サブロックを施錠操作したときは、スイッチのストッパ部がグレモン錠装置（以下、錠装置という。）のロッドに設けてある係止部と係合するように設置する必要がある。このような必要条件を満たすため、従来は、全金属製サッシの場合は縦框又は召合わせ框の室内側面に直接取り付け、複合サッシの場合は縦框又は召合わせ框の室内側樹脂製形材に取り付けていた。従って、複合サッシに取り付けられるサブロックは、スイッチのストッパ部が錠装置のロッドの係止部に係合するように、スイッチの長さを長くする必要があった。
【特許文献１】特になし
【発明の開示】
【発明が解決しようとする課題】
【０００５】
従って、従来は、全金属製サッシ用と複合サッシ用の２種類のサブロックを用意して置く必要があり、製造コストが高く付き、製品管理も煩雑であるという問題があった。また、複合サッシ用サブロックの場合は、解錠位置と施錠位置との間をシーソー運動するスイッチの支軸からストッパ部までの距離が大きいので、ドアハンドルの解錠操作に伴いロッドが解錠方向に移動する時にロッドの係止部からスイッチに加わるモーメントは非常に大きなものとなる。そのため、スイッチの支軸が破断されたり、スイッチがケースから離脱されたり、さらに悪くは、サブロックは、室内側樹脂製形材の孔に嵌合して固定してあるが、その嵌合が強制的に解除されてサブロックが抜脱されたり、あるいは、 さらに、室 内側樹脂製形材の破損を招いたりする虞があった。
【０００６】
本発明は、上記の点に鑑みてなされたものであり、解決しようとする課題は、１種類のサブロックを全金属製サッシと複合サッシの双方に共通に使用できるようにし、かつ、スイッチの伸長化を不要にして、ロッド移動時のスイッチへのモーメント負荷増大を防止して、サブロック又は室内側樹脂製形材の破損を生じないサッシを提供することにある。
【課題を解決するための手段】
【０００７】
上記課題を解決するため、本発明は、（ａ）サッシが、その開き戸の框が金属製形材のみで構成されている金属製サッシである場合は、サブロックを開き戸の金属製縦框の室内側面に直接取り付け、（ｂ）サッシが、その開き戸の框が室外側金属製形材と室内側樹脂製形材とで構成されている複合サッシである場合は、サブロックを開き戸の室外側金属製縦框の室内側面に直接取り付けるとともに、開き戸の室内側樹脂製縦框に設けた孔から前記サブロックを室内側に臨ませ、かつ、前記室内側樹脂製縦框の孔の内周面を被覆し、前記サブロックを室内側に臨ませるサブロックカバーを取り付け、（ｃ）前記サブロックはいずれも同一物であることを特徴としている（請求項１）。
上記構成により、全金属製サッシにおいては、サブロックは、開き戸の金属製縦框の室内側面に直接取り付けられる。複合サッシにおいては、サブロックは、開き戸の金属製縦框の室内側面に直接取り付けられ、開き戸の室内側樹脂製縦框にサブロックに対応して孔が形成され、サブロックはその孔から室内側に露出され、また、室内側樹脂製縦框にサブロックの周辺を囲むサブロックカバーが取り付けられる。
【０００８】
また、複合サッシにおいては、室外側金属製框に座板を固着し、前記室外側金属製框及び前記座板に設けてある孔にサブロックを嵌合し、そのサブロックに設けてある爪を前記座板の孔辺裏面に係止して固定することが望ましい（請求項２）。
上記構成により、座板は室屋外側金属製框に堅固に固着されており、サブロックをその座板及び室外側金属製框の孔に嵌合するだけで、簡単にサブロックの周辺に設けてある爪が座板の孔辺裏面に係止して固定され、サブロックは、座板に堅固に固定される。
【０００９】
サブロックカバーは、その周辺に設けてある爪を室内側樹脂製框の孔辺裏面に係止して固定することが望ましい（請求項３）。
【発明の効果】
【００１０】
請求項１の発明によれば、サッシが、その開き戸の框が金属製形材のみで構成されている全金属製サッシである場合、サッシが、その開き戸の框が室外側金属製形材と室内側樹脂製形材とで構成されている複合サッシである場合のいずれの場合も、１種類のサブロックを外側金属製形材に共通の取り付け態様で、すなわち、直接取り付けることができるので、サブロックの製造コストを低減できるとともに、取付効率を高めることができ、さらに、全金属製サッシか複合サッシかを問わず、サブロックの開き戸に対する取付強度を大きくすることができる。また、複合サッシの場合は、サブロックが室内側樹脂製形材に形成された孔から室内側に露出され、その孔とサブロックの周辺はサブロックカバーにより被覆されるため、サブロック操作性が確保されるとともに、サブロック操作者の手が保護され、サブロックの外観も向上される。
【００１１】
請求項２の発明によれば、サブロックは座板及び室外側金属製框の孔に嵌合するだけで、簡単にサブロックの周辺に設けてある爪が座板の孔辺裏面に係止して固定されるから、サブロックを、簡単に取り付けることができる。
【００１２】
請求項３の発明によれば、室内側樹脂製框のサブロックに対応する位置に設けた孔にサブロックカバーを嵌合してそのサブロックカバーの周辺に設けてある爪を前記室内側樹脂製框の孔辺裏面に係止して固定するので、サブロックカバーを簡単にしかも一層堅固に取り付けることができる。
【発明を実施するための最良の形態】
【００１３】
以下に、本発明の実施の形態について図面を用いながら説明する。
図１は二つの開き戸を備えたサッシの室内側から見た正面図、図２は図１のＸ−Ｘ線に沿った断面図、図３は図１のＹ−Ｙ線に沿った断面図、図４はサブロックのみの展開図であり、（ａ）は正面図、（ｂ）は左側面図、（ｃ）は平面図、（ｄ）は解錠状態における縦断面図である。図５は複合サッシの場合の図１のＸ−Ｘ線に沿った断面図、図６は複合サッシの場合の図１のＹ−Ｙ線に沿った断面図、図７は複合サッシの場合のサブロックの取り付け構造を示す分解斜視図、図８は複合サッシに取り付けられた状態のサブロックの正面図、図９は複合サッシの場合のサブロックの取り付け順序を示す工程図、図１０は複合サッシの場合の取り付け位置の違いによる問題点を説明する図である。
【００１４】
図１のサッシ１は、既知のサッシであり、窓枠１０と、その窓枠の中に建て付けられた左右の両開き戸２０ａ，２０ｂとからなっている。窓枠１０は、上枠１１，下枠１２及び左右の縦枠１３，１４を矩形に枠組みして構成されている。
【００１５】
開き戸２０ａ，２０ｂは、窓枠の縦枠１３，１４付近に設けられた縦支軸（図示せず）を中心に回転自在に支持されている。開き戸が、縦すべり出し戸に代えられた場合も、ほぼ同一の構成であるので、この明細書においては、開き戸の用語は、縦すべり出し戸を含むものとして用いる。そして、開き戸２０ａ，２０ｂは、同様に構成され、上框２１ａ，２１ｂと下框２２ａ，２２ｂ及び縦框２３ａ，２３ｂ；２４ａ，２４ｂをそれぞれ矩形に枠組みし、その内側に複層ガラス２５ａ，２５ｂを保持している。
【００１６】
窓枠の中央側に位置する縦框２４ａ，２４ｂは召合わせ框であり、左側の開き戸の召合わせ框２４ａの室内側面に取り付けられたドアハンドル２６ａはその召合わせ框に固着され、回転不能である。
これに対して、右側の開き戸２０ｂの召合わせ框２４ｂに取り付けられたドアハンドル２６ｂは、既知のグレモン錠装置の解錠・施錠用ハンドルを兼ねるものであって、右側の召合わせ框２４ｂに、図示されていない水平軸により水平状態から図１に示されている垂直状態になるまで回動可能に取り付けられている。
【００１７】
前記グレモン錠装置は、前記ドアハンドル２６ｂのほかに、図２及び図３に示すように、右側の召合わせ框２４ｂ内に昇降自在に保持されているロッド３０と、ドアハンドル２６ｂの回動に伴ってロッド３０を上下方向に一定の距離を移動させる既知の連動機構（図示せず）と、窓枠１０の下枠１２の上面に、例えばねじ３３とねじ受け３４により、固着されている係止金具３１とからなっている。図１のドアハンドル２６ｂ及び図３のロッド３０は、グレモン錠装置の施錠状態における存在位置を示している。そして、図１の右側のドアハンドル２６ｂを施錠位置まで回動したときは、ロッド３０が下降され、そのロッドの下端部は係止金具３１に形成されている孔３２に嵌入される。
【００１８】
なお、図３には、ドアハンドル２６ｂの支軸に設けられた前記連動機構から召合わせ框２４ｂ内を下方に伸びるロッド３０のみが示されているが、一般的に、錠装置は、図示されていないが、前記連動機構から召合わせ框２４ｂ内を上方に伸び、図１の右側のドアハンドル２６ｂを施錠位置まで回動したときは、上昇されて、上枠１１に設けられた係止金具に嵌入するロッドを備えている。本発明は、このような場合にも、同様に適用可能である。
【００１９】
［サブロックの構成］
図１〜３における４０はサブロックであり、右側の開き戸２０ｂの召合わせ框２４ｂの室内側面の下部に取り付けられている。このサブロック４０は、図４に示すように、ケース４１と、そのケース内側に嵌合され、支軸４２によりシーソー運動自在に保持されたスイッチ４３とからなっている。ケース４１は、正面側に縦長矩形環状のフランジ４１ａと、そのフランジの背面から延出する筒部４１ｂとを一体に有する。スイッチ４３は、ほぼ直方体状に形成され、ケース４１の筒部４１ｂに嵌合された状態で、スイッチの長手方向中央部分及びケース４１の筒部４１ｂに水平に貫通された支軸４２により、その支軸を中心に回転自在に支持されている。しかし、スイッチ４３の上下端部とケース４１の筒部４１ｂの上下端部との係合により、回動可能な角度は一定範囲に制限されている。
【００２０】
そして、スイッチ４３の正面は、支軸４２近傍の位置を境として上半部分と下半部分が一例として１５０度の角度もってく字形に連続するように屈曲され、下半部分は施錠時操作面４３ａとされ、上半部分は解錠時操作面４３ｂとされている。また、スイッチ４３の下端部にはストッパ部４４が設けられている。
【００２１】
サブロック４０は、スイッチ４３が図４（ｂ）に示されているように施錠時操作面４３ａがケース４１の正面と面一状態にある施錠位置から同図（ｄ）に示されているように解錠時操作面４３Ｂがケース４１の正面と面一状態にある解錠位置まで回動された時に筒部４１ｂに対して摩擦係止する手段、例えば、弾性係止片４５ａ及び突起４５ｂが設けられている。弾性係止片４５ａはケース４１に設けられて、その先端がスイッチ４３に係合し、突起４５ｂはスイッチの側面に突設されて、ケース４１の内壁面に摩擦係止するものである。ケース４１の筒部４１ｂの外周面には、フランジ４１ａの近傍でその背面に沿って突出するテーパー付き爪４６が設けられている。
【００２２】
［サブロックの取付構造］
上記構成のサブロック４０は、サッシ１が全金属製サッシであるか、複合サッシであるかによって、次のようにして、そのサッシに取り付けられる。
［１．全金属製サッシの場合］
サッシ１が、その開き戸２０ａ，２０ｂの各框が図２，３に示すように、アルミニウムその他の金属製形材のみで構成されている全金属製サッシである場合は、同図に示すように、召合わせ框２４ｂの室内側壁の下部に設けられた孔２４ｈに嵌合して、前記爪４６の摩擦抵抗に打ち勝つように押し込み、フランジ４１ａの背面が召合わせ框２４ｂの室内側壁に当たって止められた時に、各爪４６が弾性復帰して召合わせ框の室内側壁の孔辺に係止されることにより、サブロック４０が抜脱不能に固定される。
【００２３】
その場合、ロッド３０にはその下端より上方の所定位置に、ＯリングもしくはＵリング又はピンなどの金属製係止片３５が固着されていて、ドアハンドル２６ｂの操作と連動するロッド３０とともに昇降する。そして、サブロック４０が所定位置に取り付けられた状態でスイッチ４３の施錠操作面４３ａが押されてスイッチ４３が水平支軸４２を中心に回動し、所定角度でケース４１ｂに係合して止められると、ストッパ部４４が図３に示すように係止片３５のすぐ上側の、係止片３５の上昇を阻止する位置まで移動し、また、解錠操作面４３ｂが押されてスイッチ４３が反対方向に回動し、所定角度でケースに係合して止められると、ストッパ部４４が係止片３５の上昇を阻止しない位置（図４の（ｄ）はこの状態を示す。）まで後退するように、係止片３５の設置位置及びサブロック４０の取付位置が設計されている。
【００２４】
［２．複合サッシの場合］
次に、サッシ１が、その開き戸２０ａ，２０ｂの各框が室外側金属製形材と室内側樹脂製形材とで構成されている複合サッシである場合のサブロック４０の取付構造を図５以下の図面に基づいて説明する。
図５は、複合サッシの左右の開き戸２０ａ，２０ｂの召合わせ部の断面形状を主として示す断面図であり、召合わせ框２４ａ，２４ｂは、それぞれ室外側金属製形材２４ａｍ，２４ｂｍの室内側に、断熱性向上のために少なくとも一つの中空部を有する既知の室内側樹脂製形材２４ａｐ，２４ｂｐを既知の嵌合スライド方式により結合し、さらに必要によりビス２４ｓにより両形材を固定してなる一例である。
なお、図５には、左右の召合わせ框２４ａ，２４ｂに同一形状の形材を用い、左の開き戸２０ａを先に閉めた後、右の開き戸２０ｂを閉めて、グレモン錠装置を施錠操作することにより両開き戸が施錠されるようにするため、左の召合わせ框２４ａの先端に金属製補助框２４ｃｍと樹脂製補助框２４ｃｐが嵌合スライド方式により結合されて、補助召合わせ框２４ｃが形成されている例が示されている。
しかし、本発明は、室外側金属製形材の室内側面に、室内外方向の厚みが多少ともある室内側樹脂製形材が結合されているならば、複合サッシの召合わせ框の形態についての制限は受けない。
いずれの場合も、錠装置用ドアハンドル２６ｂが取り付けられている召合わせ框の室外側金属製形材２４ｂｍの室内側壁と室内側樹脂製形材２４ｂｐには、図７に示すように、共通する位置において室内側から室外側金属製形材２４ｂｍの中空部まで貫通する矩形の孔２４ｍｈ，２４ｐｈが形成される。
【００２５】
複合サッシにサブロックを取り付ける場合は、図７に示すように、上記のサブロック４０と同じサブロック４０が、前述の場合と同様に、又は、好ましくは座板５０を用いて取り付けられ、さらにサブロックカバー６０が用いられる。サブロックカバー６０は、サブロック４０の側部周面を包囲して、取り付けられるサブロック４０の周辺に生じる隙間を遮蔽し、かつ、孔２４ｐｈの辺縁を被覆して、サブロック４０の外観向上及びサブロック操作者の指の怪我を防止する役目をも有する。なお、図７の下側部の６０は、サブロックカバーの背面側の斜視図である。
【００２６】
サブロックカバー６０は、矩形環状のフランジ６１を有するとともに、そのフランジの背面に筒状の嵌合部６２を有し、その嵌合部の内側の孔６３を形成する少なくとも上下の内壁面６４は、フランジの背面方向に向かって中央側に傾斜するテーパー状に形成されている。このテーパーは、サブロックのスイッチの視認性及び指先操作性の向上に資する。また、嵌合部６２の外周面には、フランジ６１の背面に近い位置において外周方向に突出するテーパー付き爪６５が形成されている。
【００２７】
上記の構造の召合わせ框２４ｂにサブロック４０を取り付けるには、先ず、第１工程として、図７及び図８に示されているように、室内側から矩形環状の座板５０を室内側樹脂製形材２４ｂｐの孔２４ｐｈに挿入し、その座板５０を室外側金属製形材２４ｂｍの孔２４ｍｈの周辺の室内側面に密着し（図９（ａ））、座板５０の上下端部に設けてある孔５１からビス５０ｓを室外側金属製形材２４ｂｍの室内側壁にねじ込んで固着する。この場合、座板５０の孔辺は室外側金属製形材２４ｂｍの孔２４ｍｈの周辺よりも内側に若干張り出されている。
【００２８】
続いて、第２工程として、室内側からサブロック４０を室内側樹脂製形材２４ｂｐの孔２４ｐｈに挿通し、さらに座板５０の孔５３及び室外側金属製形材２４ｂｍの孔２４ｍｈにサブロック４０の筒部４１ｂをその上部から先に嵌合し（図９（ｂ））、さらに筒部４１ｂの下部を嵌合して、最後にフランジ４１ａを垂直状態にしたまま、サブロック４０のフランジの背面を座板５０の孔辺５２に密着するまで室外側金属製形材２４ｂｍ方向に強く押す。これにより、上述した全金属製サッシの場合と同様に、サブロック４０の筒部４１ｂの外周の一部に設けてある爪４６を座板５０の孔辺の裏面に係止させて、しっかり固定する。これにより、サブロック４０は、上述した全金属製サッシの召合わせ框２４ｂに取り付けた場合と同様に、室外側金属製形材２４ｂｍの室内側面に直接固定される（図９（ｃ））。
【００２９】
そして、第３工程として、図９（ｃ）に示すように、サブロックカバー６０の嵌合部６２を室内側樹脂製形材２４ｂｐの孔２４ｐｈから挿入し、サブロックカバー６０のフランジ６１の背面が室内側樹脂製形材２４ｂｐの孔２４ｍｈの孔辺の室内側面に密着するまで押し込み、そのサブロックカバー６０の嵌合部６２の外周面に突設されている爪６５を室内側樹脂製形材２４ｂｐの孔辺の裏面に弾性的に係止させてサブロックカバーを固定する。
【００３０】
こうして、サブロック４０及びサブロックカバー６０が取り付けられた状態では、図６及び図９に示されているように、サブロックカバー６０と室内側樹脂製形材２４ｂｐの孔辺との間の隙間は、サブロックカバー６０のフランジ６１により閉塞され、サブロック４０のスイッチ４３はサブロックカバー６０の孔６３から室内側に露出され、かつ、サブロックカバーの内壁面はその内周部から外周部まで室内方向に拡張されているため、スイッチが操作し易い。また、サブロックカバーは、室内側樹脂製形材２４ｂｐの孔に嵌合するだけで、外周の一部に形成された爪６５が室内側樹脂製形材２４ｂｐの孔辺に係止されてしっかり固定されるので、取付が容易である。
【００３１】
上記複合サッシの場合のサブロックを室外側金属製形材の室内側面に直接固着することにより、スイッチの長さを長くすることを不要化し、室内側樹脂製形材の室内側面にサブロックカバーを取付けて、そのサブロックカバーの少なくとも上下にテーパーを備えた構造は、サブロックの取付強度の増大、スイッチにかかるモーメントの軽減、サブロックの操作性向上及びサブロックの外観向上という複合サッシ特有の目的を達成することができる。
【００３２】
図１０は、複合サッシにおいて、サブロックを室内側樹脂製形材２４ｂｐの室内側面に直接取付ける場合の問題点を説明する図である。（Ａ１）（Ａ２）は本発明に従い、サブロックを室外側金属製形材に直接取付けた構造を示し、（Ｂ１）（Ｂ２）はサブロックを室内側樹脂製形材２４ｂｐに直接取付けた構造を示している。なお、（Ａ１）（Ａ２）には図面の簡明化のため、サブロックカバーが削除されている。サブロックを室内側樹脂製形材２４ｂｐに直接取付ける場合は、スイッチ４３のストッパ部４４がロッド３０の係止片３５に届くようにスイッチ４３を長く形成する必要がある。そのための欠点は、当初に説明したとおりである。
【図面の簡単な説明】
【００３３】
【図１】二つの開き戸を備えたサッシの室内側から見た正面図。
【図２】図１のＸ−Ｘ線に沿った断面図。
【図３】図１のＹ−Ｙ線に沿った断面図。
【図４】サブロックのみの展開図であり、（ａ）は正面図、（ｂ）は左側面図、（ｃ）は平面図、（ｄ）は解錠状態における縦断面図。
【図５】複合サッシの場合の図１のＸ−Ｘ線に沿った断面図。
【図６】複合サッシの場合の図１のＹ−Ｙ線に沿った断面図。
【図７】複合サッシの場合のサブロックの取り付け構造を示す分解斜視図。
【図８】複合サッシに取り付けられた状態のサブロックの正面図。
【図９】複合サッシの場合のサブロックの取り付け順序を示す工程図。
【図１０】複合サッシの場合の取り付け位置の違いによる問題点を説明する図。
【符号の説明】
【００３４】
１      サッシ
１０    窓枠
２０ａ，２０ｂ    開き戸
２４ａ，２４ｂ    召合わせ框
２６ａ，２６ｂ    ドアハンドル
３０    ロッド
３１    係止金具
３２    孔
３５    係止片
４０    サブロック
４１    ケース
４１ａ  フランジ
４１ｂ  筒部
４２    支軸
４３    スイッチ
５０    座板
６０    サブロックカバー
【図１】
2008038496.tif 000003
【図２】
2008038496.tif 000004
【図３】
2008038496.tif 000005
【図４】
2008038496.tif 000006
【図５】
2008038496.tif 000007
【図６】
2008038496.tif 000008
【図７】
2008038496.tif 000009
【図８】
2008038496.tif 000010
【図９】
2008038496.tif 000011
【図１０】
2008038496.tif 000012